(57)【特許請求の範囲】
【請求項１】
穀物やその加工品等からなる被貯蔵物を貯蔵するためのサイロ本体と、
前記被貯蔵物が充填されていないサイロ本体上部の未充填空間内を換気するための換気手段であって、未充填空間内へ外気を導入するための吸気ダクトと、未充填空間内の空気を外部へ排出するための排気ダクトと、吸気ダクトから未充填空間を通って排気ダクトへ至る、空気の流れを形成するためのブロワとを有する換気手段と、
を備え、
前記吸気ダクトと排気ダクトとを同一マンホール内に組み付け、吸気ダクトの開口部と排気ダクトの開口部とを高さ方向に間隔をあけて未充填空間に開口したことを特徴とするサイロ。
【請求項２】
前記吸気ダクトの開口部を未充填空間の下部に開口させ、排気ダクトの開口部を未充填空間の上部に開口させた請求項１記載のサイロ。
【請求項３】
前記排気ダクトと吸気ダクトの一方のダクトの内側に他方のダクトを配置し、内側のダクトの開口部を未充填空間の下部に開口させ、外側のダクトの開口部を未充填空間の上部に開口させた請求項１または２記載のサイロ。
【請求項４】
前記吸気ダクトと排気ダクトのうちの未充填空間の下部内に開口するダクトの開口部を高さ調整可能に構成した請求項１〜３のいずれか１項記載のサイロ。
【請求項５】
前記吸気ダクトから未充填空間へ供給される外気がサイロ本体の内壁面に沿って流れるように、吸気ダクトを開口させた請求項１〜４のいずれか１項記載のサイロ。
【請求項６】
前記ブロワの出力を未充填空間内の空気が２分間で１回以上の割合で換気される出力に設定した請求項１〜５のいずれか１項記載のサイロ。
【発明の詳細な説明】
【０００１】
【発明の属する技術分野】
本発明は、穀物やその加工品等からなる被貯蔵物を貯蔵するためのサイロに関する。
【０００２】
【従来の技術】
サイロ本体に穀物やその加工品等からなる被貯蔵物を貯蔵する場合、サイロ本体内の温度が外気温度よりも高い場合には、サイロ本体の内壁面に結露が発生して、結露水により被貯蔵物が変質したり、腐敗したり、醗酵したりするという問題があった。
そこで最近では、サイロ本体内へ０〜５℃の冷風を循環供給して、被貯蔵物の温度上昇を抑制し、前記問題を解決するように構成したサイロも提案され実用化されている。また、この種のサイロにおいては、サイロ本体内の空気を冷却するときに、水分も除去されるので、サイロ本体内の湿度が低下して結露も防止されるという、二次的効果も有している。
【０００３】
【発明が解決しようとする課題】
ところで、０〜５℃の冷風を循環供給する場合には、被貯蔵物の変質や腐敗等を防止できるが、密に詰まった被貯蔵物内へ冷風を循環供給する関係上、大出力の冷却装置やブロワーが必要となり、しかもサイロ本体の断熱構造も大掛かりになるので、サイロの製作コストが高くなるとともにランニングコストが高くなる。このため付加価値の高い被貯蔵物でないと、貯蔵しても採算が取れないという問題があった。
【０００４】
本発明の目的は、既存設備を有効活用でき且つランニングコストが安く、被貯蔵物の変質や腐敗等を効果的に防止し得るサイロを提供することである。
【０００５】
【課題を解決するための手段】
本出願人は、サイロ本体内における被貯蔵物の変質や腐敗や醗酵の大部分が、被貯蔵物の上面付近に発生していることに着目し、その原因について鋭意検討した結果、被貯蔵物が充填されていないサイロ本体上部の未充填空間に面するサイロ本体の内壁面において結露が発生し、これが結露水として被貯蔵物上に滴下したり、サイロ本体の内壁面を伝って下降し、被貯蔵物にしみこむことにより、上面部における被貯蔵物の変質や腐敗等が発生していることを見いだした。そして、未充填空間内を換気することにより、サイロの製作コストやランニングを抑制しつつ被貯蔵物の変質や腐敗等の発生を防止できるという結論を得て、本発明を発明するに至った。
【０００６】
請求項１に係るサイロは、穀物やその加工品等からなる被貯蔵物を貯蔵するためのサイロ本体と、前記被貯蔵物が充填されていないサイロ本体上部の未充填空間内を換気するための換気手段であって、未充填空間内へ外気を導入するための吸気ダクトと、未充填空間内の空気を外部へ排出するための排気ダクトと、吸気ダクトから未充填空間を通って排気ダクトへ至る、空気の流れを形成するためのブロワとを有する換気手段とを備え、前記吸気ダクトと排気ダクトとを同一マンホール内に組み付け、吸気ダクトの開口部と排気ダクトの開口部とを高さ方向に間隔をあけて未充填空間に開口したものである。
【０００７】
このサイロにおいては、サイロ本体上部の未充填空間を換気して外気と入れ替えることにより、未充填空間内と外気との温度差を少なくして、未充填空間に面するサイロ本体の内壁面における結露の発生が防止される。このため、結露水による被貯蔵物の変質や腐敗や醗酵を防止することが可能となる。また、このようなサイロ本体上部の未充填空間を換気するための換気手段は、点検用のマンホール等を活用して既存のサイロに対しても容易に適用することが可能であり、しかも被貯蔵物内に空気を通す訳ではないので、通気抵抗も小さいものになるので、ブロワとして出力の小さい小型なものを採用でき、製作コスト及びランニングコストを低減して安価に実施できる。
本発明を既存サイロに適用する場合には、点検用のマンホール等を活用して吸気ダクトや排気ダクトを組み付けることになるが、マンホールの個数自体が限られているので、２本のダクトを同一マンホールを組み付けることが好ましい。また、両ダクトの開口部を高さ方向に間隔をあけて未充填空間に開口させると、吸気ダクトから未充填空間内に流れ込んだ外気が、未充填空間全体に十分に流通することなく短絡的に排気ダクトから排出されることを防止して、未充填空間内を十分に換気することが可能となる。
【０００８】
請求項２記載のサイロは、前記吸気ダクトの開口部を未充填空間の下部に開口させ、排気ダクトの開口部を未充填空間の上部に開口させたものである。この場合には、吸気ダクトから未充填空間に供給される新鮮な外気が、被貯蔵物の上面に対して効率的に供給されるので、上面部の被貯蔵物を乾燥した状態に維持でき、被貯蔵物の変質や腐敗等を効果的に防止できる。また、吸気ダクトと排気ダクトとが上下方向に離間した状態となり、しかも吸気ダクトから未充填空間に導入される外気の流通経路上に排気ダクトの開口部が位置しないので、吸気ダクトから未充填空間に流入した外気が、未充填空間全体に十分に流通することなく短絡的に排気ダクトから排出されることを防止して、未充填空間内を十分に換気することが可能となる。
【００１０】
請求項３記載のサイロは、前記排気ダクトと吸気ダクトの一方のダクトの内側に他方のダクトを配置し、内側のダクトの開口部を未充填空間の下部に開口させ、外側のダクトの開口部を未充填空間の上部に開口させたものである。この場合には、マンホールの限られたスペースを有効活用して排気ダクトと吸気ダクトとを配置することが可能となる。また、内側のダクトの開口部を未充填空間の下部に開口させ、外側のダクトの開口部を未充填空間の上部に開口させているので、吸気ダクトから未充填空間に流入した外気が、未充填空間全体に十分に流通することなく短絡的に排気ダクトから排出されることを防止して、未充填空間内を十分に換気することが可能となる。尚、内側に配置するダクトは、排気ダクトであっても吸気ダクトであってもよいが、内側のダクトを未充填空間の下部内に開口させるので、被貯蔵物の上面に対して新しい外気を効率よく供給するため、吸気ダクトを内側に配置し、排気ダクトを外側に配置することが好ましい。
【００１１】
請求項４記載のサイロは、前記吸気ダクトと排気ダクトのうちの未充填空間の下部内に開口するダクトの開口部を高さ調整可能に構成したものである。サイロ本体に対する被貯蔵物の投入量の変動により、被貯蔵物の高さが変動するので、請求項４記載のように、被貯蔵物の高さに応じて、例えばダクトの開口部と被貯蔵物の上面間の距離が一定になるように、ダクトの開口部の高さを調整できるようにして、未充填空間の換気効率を高めることが好ましい。
【００１２】
請求項５記載のサイロは、前記吸気ダクトから未充填空間へ供給される外気がサイロ本体の内壁面に沿って流れるように、吸気ダクトを開口させたものである。この場合には、吸気ダクトの開口部から流入した外気で未充填空間内を撹拌し、未充填空間全体の空気を効率よく外気と交換することが可能となる。
【００１３】
請求項６記載のサイロは、前記ブロワの出力を未充填空間内の空気が２分間で１回以上の割合で換気される出力に設定したものである。ブロワの出力が、低いと十分な換気がなされず、結露が発生するので、未充填空間内の空気が２分間で１回以上の割合で換気されるようにすることが好ましい。
【００１４】
【発明の実施の形態】
以下、本発明の実施の形態について図面を参照しながら説明する。
図１に示すように、サイロ１は、穀物やその加工品等からなる被貯蔵物Ａを貯蔵するサイロ本体２と、サイロ本体２の未充填空間３内を換気するための換気手段１０とを備えている。但し、サイロ本体２は、通常は複数並列状に配置されているので、１つの換気手段１０に対して複数のサイロ本体２を受け持たせ、弁等の開閉操作により、必要なサイロ本体２に対して外気を順次供給するようにしてもよい。
【００１５】
サイロ本体２は、基本的には、略円筒状の周壁部４と、周壁部４の下端に連なり下方へ向けて縮径する略円錐状のコニカル部（図示略）と、周壁部４の上端部を閉鎖する略円板状の上壁部５とから構成されている。上壁部５の略中央部には投入口６が形成され、上壁部５の外周近傍部には点検用の複数のマンホール７が形成されている。このサイロ本体２は、地面に立設した複数の脚柱（図示略）を介して縦向き姿勢に設置されている。
【００１６】
換気手段１０は、図１，図２に示すように、未充填空間３内へ外気を導入するための吸気ダクト１１と、未充填空間３内の空気を外部へ排出するための排気ダクト１２と、吸気ダクト１１から未充填空間３を通って排気ダクト１２へ至る、空気の流れを形成するためのブロワ１３とを備えている。
【００１７】
吸気ダクト１１と排気ダクト１２とは同一マンホール７内に組み付けられている。吸気ダクト１１と排気ダクト１２とは別々のマンホールに組み付けることも可能であるが、マンホールの個数の少ない既存のサイロに対しても容易に適用できるように、同一のマンホール７内に組み付けることが好ましい。
【００１８】
吸気ダクト１１の下端開口部１４と排気ダクト１２の下端開口部１５とは高さ方向に間隔をあけて未充填空間３に開口されている。離れた位置のマンホールに吸気ダクト１１と排気ダクト１２とをそれぞれ個別に配置する場合には、吸気ダクト１１から流入した外気が短絡的に排気ダクト１２から排出されることは少ないが、同一マンホール７に両ダクト１１，１２を配置する場合には、短絡により未充填空間３を十分に換気できないことがあるので、吸気ダクト１１の下端開口部１４と排気ダクト１２の下端開口部１５とは高さ方向に極力離れた位置に開口させることが好ましい。
【００１９】
また、吸気ダクト１１の下端開口部１４は未充填空間３の下部内に開口され、排気ダクト１２の下端開口部１５は未充填空間３の上部内に開口されている。このように構成することで、吸気ダクト１１から供給される新鮮な外気を被貯蔵物Ａの上面へ供給して、被貯蔵物Ａの変質や腐敗等を防止できるとともに、吸気ダクト１１から未充填空間３内へ供給される外気が短絡的に排気ダクト１２から排出されることを防止できるので好ましい。
【００２０】
これらを総合すると、図１に示すように、両ダクト１１，１２を１つのマンホール７に組み付け、吸気ダクト１１を未充填空間３の下部内に開口させ、排気ダクト１２を未充填空間３の上部内に配置させることが最も好ましい実施例である。
【００２１】
吸気ダクト１１には雨水等の侵入を防止するためのフード１６が設けられるとともに、吸気ダクト１１の途中部には、サイロ本体２内へのゴミや埃、ネズミや昆虫等の侵入を規制するためのフィルター１７が設けられ、このフィルター１７により外気が浄化されて未充填空間３に導入されるように構成されている。
【００２２】
サイロ本体２外において排気ダクト１２にはブロワ１３が接続され、このブロワ１３により排気ダクト１２内の空気を外部へ排出することで、吸気ダクト１１から新鮮な外気が導入されるように構成されている。但し、サイロ本体２外において吸気ダクト１１にブロワとして送風ファンを設けて、この送風ファンにより吸気ダクト１１内へ外気を送り込むように構成してもよし、ブロワ１３と送風ファンとの組み合わせにより、未充填空間３を換気するようにしてもよい。
【００２３】
ブロワ１３の出力は、サイロ本体２のサイズや未充填空間３のサイズに応じて設定することになるが、未充填空間３内の空気が２分間で１回以上の割合で換気されるような出力のものを選定することが好ましい。また、ブロワ１３は手動で作動させてもよいし自動的に作動させてもよい。自動的に作動させる場合には、定期的に作動させてもよいし、未充填空間３内の温度と外気温度とをそれぞれ測定するセンサーを設け、未充填空間３内の温度が外気温度よりも高い場合に作動させてもよい。
【００２４】
このサイロ１においては、ブロワ１３により排気ダクト１２を介して未充填空間３内の空気が外部へ排出されることにより、吸気ダクト１１から外気が導入され、未充填空間３内が換気される。そして、未充填空間３と外気温度が略同じに調整されるので、未充填空間３に面するサイロ本体２の内壁部における結露の発生が防止され、結露に起因する被貯蔵物Ａの変質や腐敗等を効果的に防止できる。
【００２５】
次に、前記サイロ１の構成を部分的に変更した他の実施例について説明する。
（１）  図３に示す換気手段１０Ａのように、排気ダクト１２Ａの内側に吸気ダクト１１Ａを配置し、排気ダクト１２Ａの下端開口部１５Ａを未充填空間３の上部内に開口させ、吸気ダクト１１Ａの下端開口部１４Ａを未充填空間３の下部内に開口させてもよい。この場合、両ダクト１１Ａ，１２Ａの開口面積は同じに設定することが好ましいが、異なる断面積に設定することも可能である。また、吸気ダクト１１Ａは排気ダクト１２Ａの中央部に配置してもよいし、偏心位置に配置してもよい。更に、ダクト内部に仕切壁を設けて、排気ダクトと吸気ダクトとを構成してもよい。このような構成の換気手段１０Ａでは、マンホール７の内側スペースを十分に活用して両ダクト１１Ａ，１２Ａを配置できるので、両ダクト１１Ａ，１２Ａの断面積を極力大きく設定することが可能となる。
尚、吸気ダクト１２Ａと排気ダクト１２Ｂとを内外逆に配置し、吸気ダクトの下端開口部を未充填空間３の上部内に開口させ、排気ダクトの下端開口部を未充填空間３の下部内に開口させることも可能であるが、被貯蔵物Ａに対して新鮮な外気をより効果的に吹き付けることができるので、上述のように構成することが好ましい。
【００２６】
（２）  図４，図５に示す吸気ダクト１１Ｂように、未充填空間３内の空気の撹拌性を高めて換気効率を高めるため、吸気ダクト１１Ｂから流入した外気が未充填空間３内において、図４に矢印で示すように、渦を巻くように吸気ダクト１１Ｂの下端開口部１４Ｂを形成することが好ましい。具体的には、図に示すように、吸気ダクト１１Ｂの下端部にサイロ本体２の周方向に延びる折曲部２０を形成し、この折曲部２０に開口部１４Ｂを形成したり、吸気ダクト１１，１１Ａの下端を閉鎖して側面に開口部を形成することになる。
【００２７】
（３）  前記吸気ダクト１１，１１Ａ，１１Ｂを上下２つに分割構成して伸縮自在に連結するとともに、伸縮駆動するためのシリンダーや電動モータなどからなるアクチュエータを設け、被貯蔵物Ａの充填量に応じて、吸気ダクトの下端開口部と排気ダクトの下端開口部とが極力離間するように長さ調整してもよい。例えば、吸気ダクトの下端開口部と被貯蔵物の上面間の距離が一定になるように、吸気ダクトを伸縮させてもよい。尚、排気ダクトを未充填空間３の下部に開口させる場合には、排気ダクトを伸縮自在に構成することになる。
【００２８】
【発明の効果】
請求項１に係るサイロによれば、サイロ本体に対して簡単な構成の換気手段を設けることにより、未充填空間内と外気との温度差を少なくして、未充填空間に面するサイロ本体の内壁面における結露の発生を防止することが可能となり、結露水による被貯蔵物の変質や腐敗や醗酵を防止できる。また、このようなサイロ本体上部の未充填空間を換気するための換気手段は、点検用のマンホール等を活用して既存のサイロに対しても容易に適用することが可能であり、しかも被貯蔵物内に空気を通す訳ではないので、通気抵抗も小さいものになるので、ブロワとして出力の小さい小型なものを採用でき、製作コスト及びランニングコストを低減して安価に実施できる。
また、吸気ダクトと排気ダクトとを同一マンホール内に組み付けているので、マンホール数の少ない既存サイロに対しても無理なく適用することが可能となる。更に、吸気ダクトの開口部と排気ダクトの開口部とを高さ方向に間隔をあけて未充填空間に開口しているので、吸気ダクトから未充填空間内に流れ込んだ外気が、短絡的に排気ダクトから排出されることを防止して、未充填空間内の換気効率を向上できる。
【００２９】
請求項２記載のように、吸気ダクトの開口部を未充填空間の下部に開口させ、排気ダクトの開口部を未充填空間の上部に開口させると、吸気ダクトから未充填空間に供給される外気を、被貯蔵物の上面に対して効率的に供給することが可能となり、被貯蔵物の変質や腐敗等を防止できる。また、吸気ダクトと排気ダクトとが上下方向に離間した状態となり、しかも吸気ダクトから未充填空間に導入される外気の流通経路上に排気ダクトの開口部が位置しないので、吸気ダクトから未充填空間に流入した外気が、短絡的に排気ダクトから排出されることを防止して、未充填空間内を十分に換気することが可能となる。
【００３１】
請求項３記載のように、排気ダクトと吸気ダクトの一方のダクトの内側に他方のダクトを配置すると、マンホールの限られたスペースを効率的に活用して排気ダクトと吸気ダクトとを配置することが可能となる。また、内側のダクトの開口部を未充填空間の下部に開口させ、外側のダクトの開口部を未充填空間の上部に開口させると、吸気ダクトから未充填空間内に流れ込んだ外気が短絡的に排気ダクトから排出されることを防止して、未充填空間内の換気効率を向上できる。
【００３２】
請求項４記載のように、吸気ダクトと排気ダクトのうちの未充填空間の下部内に開口するダクトの開口部を高さ調整可能に構成すると、被貯蔵物の高さの変動に応じてダクトの高さ位置を調整できるので、未充填空間の換気効率を高めることが可能となる。
【００３３】
請求項５記載のように、吸気ダクトから未充填空間へ供給される外気がサイロ本体の内壁面に沿って流れるように、吸気ダクトを開口させると、未充填空間全体の空気を効率よく外気と交換することが可能となる。
【００３４】
請求項６記載のように、ブロワの換気能力を２分間で未充填空間内の空気が１回以上換気されるように設定すると、結露の発生を効果的に防止できる。
【図面の簡単な説明】
【図１】  サイロの上半部の全体構成図
【図２】  換気手段付近の縦断面図
【図３】  他の構成の換気手段付近の縦断面図
【図４】  他の構成の吸気ダクトにおける空気の流れを示す説明図
【図５】  同吸気ダクトの下端付近の斜視図
【符号の説明】
１      サイロ          ２      サイロ本体
３      未充填空間      ４      周壁部
５      上壁部          ６      投入口
７      マンホール
１０    換気手段        １１    吸気ダクト
１２    排気ダクト      １３    ブロワ
１４    下端開口部      １５    下端開口部
１６    フード          １７    フィルター
１０Ａ  換気手段        １１Ａ  吸気ダクト
１２Ａ  排気ダクト      １４Ａ  下端開口部
１５Ａ  下端開口部
１１Ｂ  吸気ダクト      １４Ｂ  下端開口部
１４Ｂ  開口部
２０    折曲部
Ａ      被貯蔵物
【図１】
0004306083.tif 000002
【図２】
0004306083.tif 000003
【図３】
0004306083.tif 000004
【図４】
0004306083.tif 000005
【図５】
0004306083.tif 000006